(57)【要約】      （修正有）【課題】日焼け防止をすることができ、呼吸困難・息苦しさが発生するのを防止することができ、更には外観的な見栄えも良く優れたファッション性も発揮することができる日除け用マスクを提供する。【解決手段】柔軟な表面布と柔軟な裏面布２とが互いに重ねて周囲縫合されることで内部空間を形成してなるマスク主体と、マスク主体の左右両端にそれぞれ掛け輪状に設けられる耳掛け部３と、前記表面布及び前記裏面布２の略中央の口相当位置に設けられた開口部４１，４２とを有する。また、前記表面布及び裏面布２の間にて前記開口部を覆設可能に一部固定され、少なくとも一部がメッシュ材で構成されるメッシュ布５と、前記メッシュ布５よりも裏面側にて前記開口部を覆設可能に一部固定され、略同一形状の表面材と裏面材とが重ねられて縫合構成される裏面ふた部６とを具備して構成される。【選択図】図１
0003173305.tif 000002
【実用新案登録請求の範囲】
【請求項１】
柔軟な表面布と柔軟な裏面布とが互いに重ねて周囲縫合されることで内部空間を形成してなるマスク主体と、
マスク主体の左右両端にそれぞれ掛け輪状に設けられる耳掛け部と、
前記表面布及び前記裏面布の略中央の口相当位置に設けられた開口部と、
前記表面布及び裏面布の間にて前記開口部を覆設可能に一部固定され、少なくとも一部がメッシュ材で構成されるメッシュ布と、
前記メッシュ布よりも裏面側にて前記開口部を覆設可能に一部固定され、略同一形状の表面材と裏面材とが重ねられて縫合構成される裏面ふた部とを具備して構成される日除け用マスクであって、
前記裏面ふた部及び前記メッシュ布はそれぞれ、
開口部周囲の一方から他方へ前記開口部を覆うように拡げられることで、装着時に開口部を覆った非覆状態を維持し得ると共に、
開口部から前記マスク主体内の内部空間内へ折り込まれ、前記表面布及び前記裏面布で狭設されることで、開口部を覆わない非覆状態を維持し得ることを特徴とする日除け用マスク。
【請求項２】
前記表面布の表面材及び前記裏面ふた部の表面材は、共に遮光性を有する同一の装飾布で構成される請求項１に記載の日除け用マスク
【請求項３】
前記裏面布及び前記裏面ふた部の裏面材は、共にタオル地布で構成されるタオル地布で構成される請求項１又は２に記載の日除け用マスク。
【請求項４】
前記表面布と前記裏面布との間に遮光性を有する中間布をさらに配置してなる請求項1から３のいずれかに記載の日除け用マスク。
【請求項５】
前記表面布の幅方向中央位置であって前記表面布と前記裏面布との間に、鼻梁の形状に応じて変形可能な上ノーズピースと、鼻先の形に応じて変形可能な下ノーズピースとを、互いに上下位置となるように配置固定してなる請求項1から４のいずれかに記載の日除け用マスク。
【請求項６】
前記マスク下縁の左右対称位置にタックを形成することで、前記裏面ふた部及び前記開口部を塞いだ状態の装着時において、鼻底面側に下方への開放空間を現出させ得る請求項lから5のいずれかに記載の日除け用マスク。
【請求項７】
前記マスクの左右両側にそれぞれに掛け輪を縫着し、左右の掛け輪によって後頭部を亘って巻き着ける後ろ掛け部を設け、日除け用マスクが落ちないように保持する請求項1から6のいずれかに記載の日除け用マスク。
【請求項８】
遮光性を有し、前記表面布または裏面布の下方に下垂する延長布を、裏面布に取り外し可能に設けてなることを特徴とする請求項1から７のいずれかに記載の日除け用マスク
【請求項９】
前記マスクの前記口開口部を覆うメッシュ布が、鼻先から前記口開口部下部までを段差なくなだらかに覆う謂求項1から８のいずれかに記載の日除け用マスク。
【考案の詳細な説明】
【技術分野】
【０００１】
当考案は、屋外、屋内及び車内において太陽照射による紫外線を遮断及び防止するための日除け用マスクに関する。
【背景技術】
【０００２】
従来、車や自転車を運転時、屋外での作業や買い物での外出時など日常生活において紫外線を含む太陽照射による日焼けを阻止するためには、日焼け止め剤などを塗って対応していた。しかし、時間とともにその効果は薄れ何度も塗り直しが必要であった。塗り直しのためには常時日焼け止め剤などを持ち歩かなければならなく、加えて一定の時間ごとに塗り直すといった手間がかかるなどの問題点があった。これに関し、屋外での活動時における日焼けを防止するための日除け用マスクとして、表面側に遮光布を取り付けたものが開示される（特許文献１）。
【先行技術文献】
【特許文献】
【０００３】
【特許文献１】実用新案登録第３１５４５４５号公報
【考案の概要】
【考案が解決しようとする課題】
【０００４】
しかしながら、上記従来のマスクは息苦しく、話す内容が聞き取れにくいなどの問題点があった。以上の内容を改善することを目的とするため本考案は、日焼け防止をすることができ、呼吸困難・息苦しさが発生するのを防止することができ、更には外観的な見栄えも良く優れたファッション性も発揮することができる日除け用マスクを提供することを課題とする。
【課題を解決するための手段】
【０００５】
上記課題を解決するため、本考案では以下の手段を講じている。
（１）本考案の日除け用マスクは、柔軟な表面布１と柔軟な裏面布２とが互いに重ねて周囲縫合されることで内部空間を形成してなるマスク主体と、
マスク主体の左右両端にそれぞれ掛け輪状に設けられる耳掛け部と、
前記表面布１及び前記裏面布２の略中央の口相当位置に設けられた開口部と、
前記表面布１及び裏面布２の間にて前記開口部を覆設可能に一部固定され、少なくとも一部がメッシュ材で構成されるメッシュ布５と、
前記メッシュ布５よりも裏面側にて前記開口部を覆設可能に一部固定され、略同一形状の表面材と裏面材とが重ねられて縫合構成される裏面ふた部６とを具備して構成される日除け用マスクであって、
前記裏面ふた部６及び前記メッシュ布５はそれぞれ、
開口部周囲の一方から他方へ前記開口部を覆うように拡げられることで、装着時に開口部を覆った非覆状態Ｓ１を維持し得ると共に、
開口部から前記マスク主体内の内部空間内へ折り込まれ、前記表面布１及び前記裏面布２で狭設されることで、開口部を覆わない非覆状態Ｓ１を維持し得ることを特徴とする。
（２）上記記載の日除け用マスクにおいて、前記表面布１の表面材及び前記裏面ふた部６の表面材は、共に遮光性を有する同一の装飾布で構成されることが好ましい。
（３）上記いずれかに記載の日除け用マスクにおいて、前記裏面布２及び前記裏面ふた部６の裏面材は、共にタオル地布で構成されることが好ましい。
（４）上記いずれかに記載の日除け用マスクにおいて、前記表面布１と前記裏面布２との間に遮光性を有する中間布をさらに配置してなることが好ましい。
（５）上記いずれかに記載の日除け用マスクにおいて、前記表面布１の幅方向中央位置であって前記表面布１と前記裏面布２との間に、鼻梁の形状に応じて変形可能な上ノーズピース７１と、鼻先の形に応じて変形可能な下ノーズピース７２とを、互いに上下位置となるように配置固定してなることが好ましい。
（６）上記いずれかに記載の日除け用マスクにおいて、前記マスク下縁の左右対称位置にタック８を形成してなり、このタック８によって、前記裏面ふた部６及び前記開口部を塞いだ状態の装着時において、鼻底面側に下方への開放空間７Ｓを現出させ得ることが好ましい。
（７）上記いずれかに記載の日除け用マスクにおいて、前記表面布１又は前記裏面布２の左右両側にそれぞれ掛け輪９を縫着してなり、これら左右の掛け輪９にそれぞれ接続され、装着者の後頭部を亘る後ろ掛け部をさらに設け、後ろ掛け部を後頭部に巻き付けることで日除け用マスクが落ちないように保持するものであることが好ましい。
（８）上記いずれかに記載の日除け用マスクにおいて、遮光性を有し、前記表面布１または裏面布２の下方に下垂する延長布１０を、裏面布２に取り外し可能に設けてなることが好ましい。
（９）上記いずれかに記載の日除け用マスクにおいて、前記マスクの前記口開口部を覆うメッシュ布が、鼻先から前記口開口部下部までを段差なくなだらかに覆うことが好ましい。
【０００６】
前記裏面ふた部６は、開口部の側方で裏返されて非覆状態Ｓ１となった場合、開口部はメッシュ布５を用いて覆う状態となるが、マスク装着時において息苦しさを感じず、会話の際、相手に会話の内容が開き取れにくくなるという状態は改善される。また、前記表面布１、前記裏面布２は、前記裏面ふた部６の端部近傍位置にそれぞれ固定手段が設けられ、開口部を覆う裏面ふた部６は裏面布２に固定させることによって覆設状態Ｓ２が維持されることにより開口部を覆う裏面ふた部６は、風や顔の動きによって、定位置からずれることがないので、日除けを優先した場合その優れた効果を発揮することができる。
【考案の効果】
【０００７】
上記手段により、時間が経っても紫外線を含む太陽照射による日焼けを阻止する効果が持続し、息苦しさを改善し、尚且つ会話が円滑に進むように工夫された日除け用マスクを提供することができた。
【図面の簡単な説明】
【０００８】
【図１】実施例１の日除け用マスクの構成を示す背面上方斜視図。
【図２】図１においてメッシュ布５を収容した状態を示す背面上方斜視図。
【図３】図２の状態の背面図。
【図４】実施例１の日除け用マスクの第一の使用形態を示す正面図。
【図５】実施例１の日除け用マスクの第一の使用形態を示す背面図。
【図６】実施例１の日除け用マスクの第一の使用形態を示す略底面図。
【図７】実施例１の日除け用マスクの第一の使用形態を示す側面図。
【図８】実施例１の日除け用マスクの第二の使用形態を示す背面上方斜視図。
【図９】実施例１の日除け用マスクの第二の使用形態を示す正面図。
【図１０】実施例１の日除け用マスクの第二の使用形態を示す側面図。
【図１１】実施例２の日除け用マスクの構成を示す正面分解図。
【図１２】実施例２の日除け用マスクの延長布１０取り付け状態を示す背面図。
【考案を実施するための形態】
【０００９】
以下に、図面を参考にしつつ本考案の好ましい実施の形態を示す。本考案の日除け用マスクは基本的に、
マスク主体の表面を構成する表面材からなる柔軟な表面布１と、
マスク主体の裏面を構成する裏面材からなり、前記表面布１に対して重ねられ周囲にて縫合されることで表面布１との間に内部空間を形成する柔軟な裏面布２と、
前記表面布１及び前記裏面布２で扶持固定されるように前記表面布１及び前記裏面布２の左右両端にそれぞれ掛け輪状に配置される耳掛部３と、
前記表面布１及び前記裏面布２の略中央であって装着時の口相当位置に設けられた通気用の開口部と、
前記開口部を覆設可能として前記表面布１又は裏面布２に一部固定され、少なくとも一部の構成材がメッシュ材からなるメッシュ布５と、
前記メッシュ布５よりも裏側位置にて開口部を覆設可能として前記表面布１又は裏面布２に一部固定される裏面ふた部６とで構成される。
【００１０】
前記裏面ふた部６及び前記メッシュ布５はそれぞれ、前記開口部の周囲四方（上下左右を含む）のいずれかの近傍位置にて一部固定されてなり、開口部を覆う覆設状態Ｓ２と、開口部を覆わない非覆状態Ｓ１との２状態に切り替えて各状態を維持することができる。このうち特に非覆状態Ｓ１においては、前記裏面ふた部６及び前記メッシュ布５のそれぞれが、開口部から前記内部空間内に折り込まれて、表面布１及び前記裏面布２の間に狭持固定される。
【００１１】
裏面ふた部６を覆設状態Ｓ２としかつ前記メッシュ布５を非覆状態Ｓ１とすることで、図４〜図７に示す第一の使用形態とすることができる。また裏面ふた部６を非覆状態Ｓ１としかつ前記メッシュ布５を覆設状態Ｓ２とすることで、図８〜図１０に示す第二の使用形態とすることができる。以下、実施例として示す各図とともに説明する。
【実施例１】
【００１２】
図１〜図１０に示す本考案の実施例１の日除け用マスクは、開口部の正面視向かって左側近傍にて裏面ふた部６及び前記メッシュ布５がそれぞれマスク主体に部分固定され、裏面ふた部６及び前記メッシュ布５は、開口部を覆う位置で互いに重なるように配される。
【００１３】
（マスク主体）
互いに重ねられて周縫合された表面布１と裏面布２とによって、装着者の顔の下半部を覆うマスク主体が構成される。表面布１と裏面布２はそれぞれの周部同士が縫合されることで、マスク主体内に内部空間が形成される。
【００１４】
（開口部）
マスク主体の略中央であって口相当部には、開口部が構成される。この開口部は具体的には、表面布１に形成された表開口４１と、裏面布２のうち表開口４１と略同位置に形成された裏開口４２とからなる。表開口４１周縁と裏開口４２周縁とは縫合されておらず、各周縁の間には、マスク主体内の内部空間に連なる一または複数の収容口が形成される。メッシュ布５、裏面ふた部６のそれぞれは、この収容口から内部空間内に折り込まれて非覆状態Ｓ１となる。
【００１５】
（表面布１）
表面布１は遮光性を有する布で構成される。少なくとも表側が、所定の装飾模様又は着色を施された装飾布からなり、マスク主体の表面を構成する。これにより、日焼けしやすい顔を日除けする効果を発輝することができる。表面布１はまた、遮光性に加えて紫外線遮断性を有する布とすることができる。
【００１６】
（延出部１２）
マスク主体の左右の上縁部は、それぞれ頬骨位置から目じり部位置へ向かって緩やかに上方延出する延出部１２を有する。上縁の両側部にはそれぞれ装着時に頬骨を覆う延出部１２が上方へ延出形成される。この延出部１２の形成により、紫外線を含む太陽照射の影響を最も受けやすい装着者の頬骨から目じり部を覆い、これら部位の日焼けを確実に防ぐことができる。
【００１７】
（中央上辺１１）
また左右の各延出部１２の間を亘って、装着時に鼻梁を覆う略山形の中央上辺１１が形成される。この中央上辺１１に沿って、内部空間に半剛性線材からなる上ノーズピース７１が収容固定される。上ノーズピース７１の半剛性線材は、鼻梁の形状に応じて変形しかつ変形状態を保持することができる。
【００１８】
（裏面布２）
裏面布２には汗を吸収しやすく肌触りを良くするためにタオル地を使用している。裏面布２は、表面布１と同じ外形の布を用いてなり、表面布１の開口部形成個所と重なる位置に、略コ字状の切り込みを入れて裏面ふた部６を一体的に形成してなる。そしてこの略コ字状の切り込み縁の内部が裏面開口４２となる。
【００１９】
（耳掛部３）
耳掛部３はマスク主体の左右両側にそれぞれ設けられており、頭部又は左右それぞれの耳に掛けることで、マスクが落ちないように保持する。図1〜14の実施例では、平ゴム（板状のゴム片）からなる耳掛け輪を左右それぞれ縫着している。他に、丸型断面のゴム紐からなるものや、左右を亘って後頭部にて着ける布材からなるものとしてもよい。
【００２０】
（上ノーズピース７１、下ノーズピース７２）
前記表面布１の幅方向中央位置であって前記表面布１と前記裏面布２との間に、鼻梁の形状に応じて変形可能な上ノーズピース７１と、鼻先の形に応じて変形可能な下ノーズピース７２とを、互いに上下位置となるように配置固定してなる。
【００２１】
裏面ふた部６で開口部を覆った状態でも、上下２か所で固定したノーズピースにより鼻筋が固定されているので、鼻の穴部分の開放空間７Ｓが確保できている。よって呼吸がしやすくなることがわかる。
【００２２】
実施例では、上ノーズピース７１及び下ノーズピース７２の具体例として、個人個人の鼻先の形状に応じて固定できる変形可能な金属を表面布１と裏面布２の間に固定する。これにより、顔面とマスクをフィットさせることができるのでマスク自体がずれにくくなり、余分な隙間が空かないので日焼け防止につながる。また鼻の穴部分の開口部にマスクの生地が垂れ難くなるので呼吸しやすいように開口部が確保できる。
【００２３】
上下のノーズピースにより鼻筋を固定し、開口部を裏面ふた部６にて覆うのに伴って、開口部上部に段差が生じ、新たに鼻の穴部分に気道確保できる略三角形の下方への開放空間７Ｓが出現する。日焼け防止を主体として使用する場合、顔面をマスクで覆ってしまうと従来のマスク通り呼吸しづらくなるが、三角形の形状である、鼻の穴部分の開放空間７Ｓができることにより呼吸しづらさを同避し無理なく鼻呼吸が可能となる。
【００２４】
（ノーズピースの効果）
上下２か所のノーズピースにより鼻の部分が日除けマスクにフィットし、あごと鼻先を結ぶ面にメッシュ布５が配置されるので必然的に鼻先と口の間に空間が生まれる。開口部をメッシュ布５にて覆うので呼吸がしやすく会話もスムーズにできる。また、日除けマスクとロ周りに空間ができるので、装着していても感覚的に威圧感が感じられない。
【００２５】
（日焼け防止を重視した使用方法）
特に日焼け防止を重視した第一の使用形態においては、裏面ふた部６で開口部は塞がれているためマスク自体が鼻呼吸の妨げとなり、このままだと従来のマスク同様、呼吸しにくい状態になるので、変形可能な下ノーズピース７２を鼻先の形に応じて固定することにより、マスクが鼻先に垂れてくるのを防止することができる。
【００２６】
（メッシュ布５）
また、前記マスクのロ開口部を覆うメッシュ布５を設けることにより、顔の大部分を覆面化することにおいて、ロ開口部が全く遮られず唇の動きばかり目立ってしまい更に露骨に見えてしまうのをカムフラージュするためメッシュ布５を用いたのが好ましく、見た目の悪さを軽減し視線をそらすことができる効果がある。
【００２７】
メッシュ布５は具体的には、中央に横長楕円の中央孔が形成された枠布と、枠布の中央孔を覆うメッシュ５Ｍとから構成される。枠布の裏面は、裏面布２で使用しているものと同様のタオル地を用いて、開口部を除く部分に縫合または接合させ開口部近傍位置に縫合される。メッシュ５Ｍは暗色（実施例では黒色）のプラスティックまたは化学繊維からなる。日除けを目的として使用する時は、メッシュ布５を収納部に納め、正面からマスクを見た時メッシュ布５が見えない様にすることができる。
【００２８】
実施例１では素面布のうち開口部と重なる領域の周囲三方を連続してカットするか、もしくは結合させた横長矩形の裏面ふた部６が、一側方で裏面布２と一体的に連結構成される。裏面ふた部６の表面には表面布１と同じ布を用いて横長矩形と同じ大きさで表面部を覆う。そうすることにより図1に示すように正面からみた場合、開口部が表面布１と同じ布で塞がれているので、ロ開口部が確認しづらく尚且つ違和感が感じられない。裏面ふた部６を外側に折り返すと、裏面布２と表面布１との間に収納部が現れる。収納部とは、図2に示すように裏面ふた部６を収納するスペースである。
【００２９】
前記マスク主体の表面布１と、表面布１に一部固定されたメッシュ布５又は裏面ふた部６との結合、裏面布２に用いているタオル地との結合は、糸による縫合、接着剤による接合等いずれでもよい。また、メッシュ布５は左右どちらか一方の箇所を表面布１又は裏面布２の内面に一部固定する。
【００３０】
（第一の使用形態）
図４〜図７は、実施例１のマスクの第一の使用形態を示す正面図である。マスク中央の開口部を裏面ふた部６で塞ぐことにより、日焼け防止の目的を重視した使用例である。
【００３１】
マスク表面布１の素材は、綿、ナイロン、ポリエステル等の1種または混紡の繊維からなる綿布、織布、不織布等の柔軟な素材からなり、遮光の特性を持つ布であり紫外線を含む太陽照射による日焼けを阻止する効果がある。また、表面布１は用途に応じて、各種色つき布、模様つき布等で形成することもできる。そうすることにより個人の好みに合うように日除け用マスクを選び、ファッション性を高め、従来の味気ないマスクを使用することに抵抗がある消費者に装着意欲を起こさせ、紫外線による肌トラブルを回避させる。
【００３２】
（収容口）
図３は、実施例１の裏面構成を説明する斜視図である。図２は、表面布１に一部固定されたメッシュ布５又は裏面布２にくっついている、もしくは一部固定された裏面ふた部６を納める収容口を見やすく開示した状態を示す。
【００３３】
（タック８または立体裁断）
また地面からの照り返しによる日焼けを防止するため、マスク主体の下縁には左右対称位置に一対または複数対のタック８（絞り部）が上方へ伸びて形成される。各タック８は下縁から上方に向かって絞り量を小さくしながら開口部の両側部まで形成される。このタック８によって、前記裏面ふた部６及び前記開口部を塞いだ状態の装着時において、鼻底面側に下方への略三角形の開放空間７Ｓが出現する。なおタック８の代わりに中央下部の幅方向長さ８Ｌを中央上縁の幅方向長さ１１Ｌよりも短くして立体裁断としてもよい。
【００３４】
タック又は立体裁断によりマスクを顔の凹凸に沿わせ、下縁の幅が上部より狭くなる。その余分な幅を鼻のあたりに意図的に生じさせ、裏面ふた部６で開口部を塞いだ第一の使用形態において、鼻先に新たな三角形の鼻の穴部分の開放空間を出現させることができる（図６）。これにより息のしやすさを確保できると共に、開口部と日除けマスクの間に、より一層空間が生じ、呼吸がしやすい状態を保つ効果を発揮する。
【００３５】
裏面ふた部６で開口部は塞がれており、このままだと従来のマスク同様、鼻呼吸の妨げになる。これに対応して、個々に違う鼻の高さ、鼻先の形にも対応できるように日除け用マスクの表面布１と裏面布２の間に固定して取りつけてある。鼻梁の形状に応じて変形可能な上下合計２か所のノーズピースにて鼻周辺を固定することにより、日除けマスクを顔面の形状に沿ってより隙間を少なくしてフィットさせることができる。そうすることにより鼻先と開口部を覆っている裏面ふた部６との間に段差が生じ、新たに鼻の穴部分に開放空間７Ｓが出現する。そうすれば呼吸がしやすい状態となり、加えてマスク自体をずれにくくすることができる効果がある。
【００３６】
（第二の使用形態）
図８、図９に示す第二の使用形態では、メッシュ布５が開口部を左右に亘った覆設状態Ｓ２となっており、裏面ふた部６が収容口から裏面布２の内側に折り込まれて非覆状態Ｓ１となっている。
【００３７】
（メッシュ布５の仮固定）
第二の使用形態では、メッシュ布５を覆設状態Ｓ２として表面布１、裏面布２間にて狭持固定する。このとき、メッシュ布５先部と収容口近傍の裏面布２または表面布１とを、それぞれの相当位置に設けた面ファスナー、フック構造などで取り外し可能に仮固定する構造としてもよい。仮固定する構造とした場合、メッシュ布５がずれずに固定され、開口部を塞いだメッシュ布５は開口部に沿って内部空間内に広がって仮固定される。この場合、第一の使用形態と異なり、メッシュ布５の上部と鼻先にあたる開口部の上縁とが段差を生じず滑らかにつながっていることにより、開口部の中央上縁からマスク主体の中央下縁近傍までの部分が前方へ浮き上がるように変形する（図１０）。これにより第二の使用形態において、鼻先とロの間の領域に、裏面布との間に裏側空間が生じる。
【００３８】
この第二使用形態においては、表面布１中央の開口部を暗色のメッシュ５Ｍで構成されたメッシュ布５で塞ぐことにより、顔の大部分を覆面化したときに、開口部内の唇の動きが露骨に見えてしまうのをカムフラージュすることができる。すなわち暗色のメッシュ５Ｍで開口部を覆うことで、見た目の悪さを軽減し視線をそらすことができる効果がある。また、従来のマスクは息苦しく、話す内容が聞き取りにくい等の不便さがあったが、メッシュ布５を用いることにより改善される。
【００３９】
なお上記日除けマスクにおいて、前記表面布１と前記裏面布２との間に遮光性を有する中間布をさらに設置してもよい（図示せず）。中間布は例えば、マスク主体の左右両側方の張り出し部に収容される２枚の頬覆い布からなるものとすることができる。各頬覆い布は、開口部の両側縁にそれぞれ形成される収容口から、マスク主体の内部空間内であって両側方向の張り出し部に収容される。
【実施例２】
【００４０】
図１１，１２に示す実施例２の日除け用マスクは、実施例１と同様の日除け用マスクと、この日除け用マスクのマスク主体の下方へ取り外し可能に取り付けて装着者の首前方を覆う延長布１０とから構成される。
【００４１】
延長布１０は首の前面を覆うことのできる形（例えば横長-縦長長方形）からなり、表面布１又は裏面布２に取り外し可能に設けられる。（例えば、ボタンホールとボタン孔、一対のホック構造、綿ファスナー構造によって取り外し可能とする）。下縁は、中央下方に湾曲した下向き凸状、ストレートのいずれでもよい。
【００４２】
延長布１０は前記表面布１と同じ布材の表面材を具備してなり、遮光性を有する。実施例ではマスク主体よりも大きな幅の矩形形状部分と、その上部両隅から上方へ帯状に延出する左右の帯状部分１０Ｌとの一体形状からなり、マスク主体の表面布１、裏面布２とそれぞれ同一布材からなる表面材、裏面材が重ね縫合されてなる。帯状部分１０Ｌの表面であって延出方向略中央部には、ボタン１０Ｂが取り付けられ、帯状部分１０Ｌの先部付近にはこのボタン１０Ｂに対応したボタンホールが形成される。延長布１０をマスク主体に取り付ける際は、例えば図１２に示すように、左右の帯状部分１０Ｌをそれぞれ各耳掛部３の輪内に回し込んで山折り状に折り返し、先部のボタンホールをボタン１０Ｂで留めて左右で吊り下げる。
【００４３】
なお取り付け手段は上記形態に限られず、例えばマスク主体の左右の下部付近にボタンまたはボタンホールを形成し、延長布１０の矩形部の上部近傍であって幅方向中央寄りの左右対応位置にボタンホールまたはボタンを形成してもよい。マスク主体の幅方向中央寄りの位置で延長布１０を固定することにより、装着時に延長布がマスク主体と一体的に変形することとなり、マスク主体と延長布１０との間に余分な隙間が生じるのを防ぐことができる。
【００４４】
ほかに面ファスナー、凹凸嵌合式のホックをそれぞれの対応位置に設けたものでもよい。必要に応じて延長布１０を下垂状態で取り付けることで、より大きな日除け範囲を確保することができる。
【００４５】
また実施例２の日除け用マスクは、図１１，１２に示すように、マスク主体の左右両側にそれぞれ、耳掛部３よりも短い非弾性材からなる掛け輪９を縫着してなる。これら左右の掛け輪９にそれぞれ接続され、装着者の後頭部を亘る後ろ掛け部をさらに設けたものである。たとえば後ろ掛け部を後頭部に巻き付けることで、耳掛け部を使わなくても日除け用マスクが落ちないように保持することができる。この掛け輪９は非装着時の吊り下げ輪にもなり、それ自体が非弾性材からなるため弾性材からなる耳掛部３と分けて使用することで、耳掛け部３の弾性疲労を抑制することができる。
【００４６】
その他本考案は上述した実施例に限定されず、考案の趣旨を逸脱しない範囲で種々の形態変更、配設位置変更、一部構成の省略、材質変更が可能である。例えばメッシュ布５及び裏面ふた部６は四方周囲のうち上部または下部で一部固定されていてもよく、あるいは互いに四方周囲の異なる位置で固定されていてもよい。
【符号の説明】
【００４７】
１  表面布
１１  中央上辺
１２  延出部
２  裏面布
３  耳掛部
４１  表開口
４２  裏開口
５  メッシュ布５
５Ｍ  メッシュ
６  裏面ふた部 
７１  上ノーズピース
７２  下ノーズピース
７Ｓ  開放空間
８  タック
９  掛け輪
１０  延長布
【図１】
0003173305.tif 000003
【図２】
0003173305.tif 000004
【図３】
0003173305.tif 000005
【図４】
0003173305.tif 000006
【図５】
0003173305.tif 000007
【図６】
0003173305.tif 000008
【図７】
0003173305.tif 000009
【図８】
0003173305.tif 000010
【図９】
0003173305.tif 000011
【図１０】
0003173305.tif 000012
【図１１】
0003173305.tif 000013
【図１２】
0003173305.tif 000014